(57)【特許請求の範囲】
【請求項１】
以下を含む、カードキャリーケースからパーソナルカードを取り出すための多目的補助メンバーツール：
ａ）  共通の基部から末端方向に延びる、略平面のカード上面把持アームと、略平面のカード下面把持アームを有する、略平らにされたボデイである結合構成要素であって、
該上面把持アームと該下面把持アームが相対し、互いに略平行な姿勢で保持される結合構成要素、
ここで該上面把持アームと該下面把持アームは、一緒に、開いているフロントエンドと閉じているバックエンドを有するカードスロットを画定し、
該カードスロットは、強い摩擦で取り外し可能にパーソナルカードを受け入れ、固定するように形成される、
ｂ）  該結合構成要素に取り付けられ、該結合構成要素のベースから末端方向へ伸張する伸長構成要素であって、
該ツールがパーソナルカードに固定された時に、パーソナルカードを把持し、かつカードキャリーケースからの取り出しを許容するように形成される、該伸長構成要素。
【請求項２】
該結合構成要素は、固い金属、プラスチック、または金属とプラスチックの組み合わせで作られる単一ユニットからなる、請求項１記載の多目的補助メンバーツール。
【請求項３】
該カードスロットのバックエンドがカードスロットのフロントエンドより狭く、カードスロットが前部から後部に先細りする、請求項１記載の多目的補助メンバーツール。
【請求項４】
該カードスロットのバックエンドの間隔は０．３０ｍｍから０．９０ｍｍであり、カードスロットのフロントエンドの間隔は０．４０ｍｍから１．００ｍｍである、請求項３記載の多目的補助メンバーツール。
【請求項５】
該カードスロットは階段状にされ、バックエンドに隣接してより狭い領域を有して薄いパーソナルカードを固定するように適合され、またフロント開口部に隣接してより広い領域を有して厚いパーソナルカードを固定するように適合される、請求項１記載の多目的補助メンバーツール。
【請求項６】
該カードスロットのより狭い領域が、０．３０ｍｍから０．５５ｍｍの間隔であり、より広い領域は、０．５５ｍｍから０．８０ｍｍの間隔である、請求項５記載の多目的補助メンバーツール。
【請求項７】
該上面把持アームと該下面把持アームの形状は、ほぼ長方形、または円形である、請求項１記載の多目的補助メンバーツール。
【請求項８】
該伸長構成要素は該結合構成要素のベースに蝶番のように取り付けられる、請求項１記載の多目的補助メンバーツール。
【請求項９】
該伸長構成要素が移動不可能に該結合構成要素のベースに取り付けられる、請求項１記載の多目的補助メンバーツール。
【請求項１０】
該伸長構成要素は該結合構成要素の連続したデザイン要素である、請求項９記載の多目的補助メンバーツール。
【請求項１１】
該伸長構成要素が金属、革、プラスチック、またはガラスを含む、請求項１記載の多目的補助メンバーツール。
【請求項１２】
該結合構成要素がさらにカードキャリーケース内にツールを固定するように適合させられた３番目のアームを含む、請求項１記載の多目的補助メンバーツール。
【請求項１３】
該ツールは磁気ストライプ、半導体チップデバイス、集積回路装置、非接触データキャリアタグデバイスまたはバーコードを含む、請求項１記載の多目的補助メンバーツール。
【請求項１４】
以下を含む、少なくとも２枚のパーソナルカードをカードキャリーケース内に固定して、カードキャリーケースから取り出すための、多目的補助メンバーツール：
ａ）  共通のベースから末端方向に延びる、略平面の少なくとも１つのカード上面把持アームと、略平面の少なくとも１つのカード下面把持アームを有する、略平らにされたボデイである結合構成要素であって、
少なくとも１つの該カード上面把持アームと少なくとも１つの該カード下面把持アームは相対し、互いにほぼ平行な配置で保持され、
ここで少なくとも１つの該上面把持アームと少なくとも１つの該下面把持アームは、一緒に、少なくとも２つのカードスロットを画定し、
それぞれのカードスロットは、開いているフロントエンドと閉じているバックエンドを有し、
少なくとも２つのカードスロットは強い摩擦で取り出し可能にパーソナルカードを受け入れ、固定するように形成される、結合構成要素、および
ｂ）  該結合構成要素に取り付けられ、該結合構成要素のベースから末端方向へ伸張する伸長構成要素であって、
該ツールがパーソナルカードに固定された時に、パーソナルカードを把持し、かつカードキャリーケースからの取り出しを許容するように形成される、該伸長構成要素。
【請求項１５】
該多目的補助メンバーツールが第１のカードスロットと第２のカードスロットを含み、第１のカードスロットのカード下面把持アームが、第２のカードスロットのカード上面把持アームとしても機能する、請求項１４記載の多目的補助メンバーツール。
【発明の詳細な説明】
【技術分野】
【０００１】
関連出願
本出願は、２００９年１１月２１日に出願された、米国出願第１２／６２３，４１５の優先権を主張し、その全体の開示は本明細書中に参考として援用する。
【０００２】
本発明はカードキャリーケース内で「パーソナルカード(personal card)」とともに使用するための多目的補助メンバーに関し、複数の多目的補助メンバーは一緒に使用され、カードキャリーケースを組織化する補助メンバーシステムを形成する。
【０００３】
近代社会では、財布またはカードキャリーケースには、すべてのタイプの多くのカードが詰められる。例えば、他人が所持者を同定するのを助ける身分証明書（例えば、運転免許証、身分証明書、会員証、アクセスカード、ブッククラブカード、および／または図書館のカード）がある。支払いをするための支払いカード（例えば、クレジットカード、デビットカード、および／または、テレホンカード）がある。仕事または取引関係を促進する目的のために贈られ、買い、および／または、集められる販促用のカード（例えば、ギフトカード、ポイントカード、割引カード、名刺、エアライントラベルカード、および／または、映画レンタルカード）がある。本当の「カード」でないが、「大好きなもの」のひとつとしてカードキャリーケース内にしまわれるものとして写真がある。簡明さのために、これらおよび他の同様のカードキャリーケースアイテムは、本明細書において一般的におよび／または集合的に「パーソナルカード」、「カード」、および／または、「パーソナルカードコレクション」と呼ばれる。これらのパーソナルカードは典型的には、３インチ（７．５ｃｍ）から３．７５インチ（９．５ｃｍ）の縦の長さ、１．７インチ（４．３ｃｍ）から２．８インチ（９．６ｃｍ）の幅、および．０１５インチ（．４６ｍｍ）から．０３インチ（．７６ｍｍ）の間の厚みを有する。
【０００４】
ほとんどの人々はいくつかの種類の財布、札入れ、小銭入れ、または他のホルダ（本明細書において以下、一般に「カードキャリーケース」として言及される）を、特定のカードを持ち運び、整理し、容易に取り出せるための好都合な手段として持っている。このために、カードキャリーケースは、パーソナルカードコレクションを表示するために、少なくとも１つのパウチ、ポケット、および／またはスロット（「コンパートメント」と一般的に呼ばれる）を有する傾向がある。カードを持つのにすべて適しており、パウチ、ポケット、および／またはスロットは類似する構造をいう。便宜上本明細書においては、パウチはポケットよりも多くのカード保持できるようにデザインされ、ポケットはスロットより多くのカードを保持できるようにデザインされているものとする。それぞれのカードの部分が所有者がカードを同定するキューとして見えるように、複数のコンパートメントは互いにずらされる。コンパートメントは、パーソナルカードコレクションのカードの長いエッジの部分または短いエッジの部分を表示するように適合される。多くの場合、カードの少部分だけがコンパートメントから露出するので、カードを握るための表面積はほとんどない。これが指および／または爪で握ることを難しくしている。これらのカードのしばしばなめらかな表面（例えば、プラスチック）によって問題は悪化させられる。そして、指／爪はカードを引き出そうとするとき、カードから滑る傾向がある。必要に迫られて、スロットを、しっかりとパーソナルカードを保持するためにきつくする傾向がある。きついスロットにより、スロットからカードを取り出すのはさらに難しくなる。さらに、人々が単一の、既にきついスロットに複数のカードを詰めるのは、珍しくない。その結果、一つまたは複数のカードを取り出すのをさらに難しくする。それでも、さらに、いくつかのカードキャリーケースには、１種以上の特別なポケット、および／またはスロットは、頻繁に使用されるカード（例えば、身分証明書）を見ることができるウィンドウを有する。セキュリティの目的のために、特別なポケット、および／または、スロットを特に深くし、頻繁に使用されるカードは完全に特殊化したポケット、および／または、スロットの中に端を露出することなく置かれる。深いポケット、および／または、スロットでは、頻繁に使用されるカードの「一番端」を握るのは特に難しくなる。
【０００５】
近代社会では、カードキャリーケースにはすべてのタイプの多くのカードを詰めることができる。カードキャリーケースのレイアウトとカード数に応じて、ユーザは彼のパーソナルカードコレクションのどれも見ることが出きないか、または１枚のカードしか、またはいくつかのカードだけしか見ることができない場合がある。これは、ユーザがしばしば非可視カードの位置の記憶をなくすことを意味する。カードキャリーケースにおける間違った場所にカードを返した場合には、なくなったカードが見つけられるまで、パニックが続くことがある。極端な場合には、希望のカードを見つけるために、全部ではなくてもほとんどのカードをカードキャリーケースから取り出す必要がある。
【０００６】
カードキャリーケースポケット、および／または、スロットからのカードの継続的なアクセス、取り出し、および再插入は不便である場合があり、難しく、おそらく望まれない摩耗をカードキャリーケースとカードの両方に引き起こす。
【発明の概要】
【発明が解決しようとする課題】
【０００７】
いくつかのカードが、固いプラスチックで作られているか、またはある程度「耐久性を高めたもの」で作られるが、そうではないものもある。よりデリケートなカードでは、繰り返された取り出しおよび再插入により引き裂かれる場合がある。繰り返された取り出しおよび再挿入により、カードキャリーケースのポケット、および／または、スロットは伸びるか、または引き裂かれる場合がある。そして、多くのパーソナルカードによって共有される特性は、それらには情報があるということである。多くのパーソナルカードには、その上に印刷されるか、またはスタンプされた（例えば、もりあげられた数字）ユーザを同定するテキストまたは数がある。多くのパーソナルカードには、発行源を同定する情報または他の適切な情報がその上にある。いくつかのパーソナルカードでは、磁気ストライプで情報を保存する（例えば、会員証、アクセスカード、クレジットカード、デビットカード、および／またはギフトカード）。いくつかのカードでは、一体化されたＩＣカード（または、他のエレクトロニクス）を有し、付加的な機能をカードに提供する。いくつかのパーソナルカードでは、パンチされるか、または他の方法でマークされる（例えば、ポイントカード、および／または、割引カード）。また、磁気ストライプ、エレクトロニクス、およびマーキングは繰り返された取り出しおよび再挿入で破損する場合がある。
【０００８】
カードキャリーケースの散乱を減少させる試みでは、いくつかのパーソナルカードが、孔のあるより小さいバージョンで置き換えられ、キーホルダーで保持される。一般に、簡明さのために、これらのより小さいバージョンは本明細書において「フォッブカード(fob card)入れ」と呼ばれる。これらのフォッブカード入れは、１．７インチ（４．５ｃｍ）から２．２インチ（５．５ｃｍ）の縦の長さと７．８インチ（２０ｃｍ）から１．２インチ（３ｃｍ）の幅を典型的に有する。
【課題を解決するための手段】
【０００９】
本発明の１つの実施態様では、少なくとも１つのコンパートメントを持っているカードキャリーケースに取り付けることができるパーソナルカードを使用するための多目的補助メンバーを提供する。多目的補助メンバーはパーソナルカードの端部に取り付けできる少なくとも１つの結合構成要素と少なくとも１つの伸張構成要素を含む。少なくとも１つの結合構成要素がパーソナルカードの端部に取り付けられるとき、少なくとも１つの伸長構成要素が一番はずれの輪状のエッジを超えて伸張する。
【００１０】
本発明の別の実施態様は、少なくとも１つのコンパートメントを持っているカードキャリーケースにおいて使用される補助メンバーシステムを提供する。システムは複数のパーソナルカードと複数の多目的補助メンバーを含んでいる。パーソナルカードに取り付けられたそれぞれの多目的補助メンバーは、伸張構成要素がパーソナルカードの一番はずれの輪状のエッジを超えて伸張するようにされる。
【００１１】
本発明のさらに別の実施態様は、結合構成要素、および／または、伸長構成要素に関連している技術を含む多目的補助メンバーを提供する。
【００１２】
更なる実施態様では、本発明はカードキャリーケースからパーソナルカードを取り出すためのツールである多目的補助メンバーを提供する。そのような多目的補助メンバーツールは以下を含む；
共通の基部から末端方向に延びる、一般に平面のカード上面把持アームと、一般に平面のカード下面把持アームを有する、一般に平らにされたボデイである結合構成要素であって、上面把持アームと下面把持アームが相対し、一般に互いに平行な向きで保持される結合構成要素、ここで上面把持アームと下面把持アームは、一緒に、開いているフロントエンドと閉じているバックエンドを有するカードスロットを画定する、
該カードスロットは、強い摩擦(tight friction fit)で「取り外し可能」にパーソナルカードを受け入れ、固定するように適合させられる、
結合構成要素に取り付けられ、結合構成要素のベースから末端方向へ伸張する伸長構成要素であって、
該ツールがパーソナルカードに固定された時に、カードキャリーケース内でのパーソナルカードの把持およびそれからの取り出しのために適合させられる該伸長構成要素。
【００１３】
多目的補助メンバーツールのある特定の態様では、結合構成要素は、固い金属、プラスチック、または金属とプラスチックの組み合わせで作られる単一ユニットである。例えば、金属射出成形によりそのような結合構成要素を製造できる。
【００１４】
ある特定の態様では、カードスロットのバックエンドはカードスロットのフロントエンドより狭く、カードスロットは後部から前部にテーパーされている。たとえばカードスロットのバックエンドの間隔は約０．３０ｍｍから約０．９０ｍｍであることができ、カードスロットのフロントエンドの間隔は約０．４０ｍｍから約１．００ｍｍであることができる。他の態様では、カードスロットは階段状にされ、バックエンドに隣接してより狭い領域を有して薄いパーソナルカードを固定するように適合され、またフロント開口部に隣接してより広い領域を有して厚いパーソナルカードを固定するように適合される。たとえば、カードスロットのより狭い領域が、約０．３０ｍｍから約０．５５ｍｍの間隔であることができ、より広い領域は、約０．５５ｍｍから約１．００ｍｍの間隔であることができる。ある特定の実施態様では、階段状のカードスロットは２枚のパーソナルカードを収容できる。
【００１５】
一般に、多目的補助メンバーツールの上面把持アームと下面把持アームは一般に長方形の、または、円形の形状、または希望の任意の形状も持つことができる。任意に、結合構成要素はカードキャリーケース内でツールを固定するために適合されたアームを含むことができる。
【００１６】
ある特定の態様で、伸長構成要素は結合構成要素のベースに蝶番のように取り付けられる。さらに、伸長構成要素が結合構成要素の上に横たわる閉鎖位置から、伸長構成要素が閉鎖位置に垂直である開放位置に、伸長構成要素を蝶番の周りに回転できるように適合させることができる。本発明の他の態様では、伸長構成要素は結合構成要素のベースに動かないように取り付けられる。ある特定の実施態様では、伸長構成要素は結合構成要素のデザイン要素と連続的にされる。
【００１７】
ツールの把持を助けるために、伸長構成要素は結合構成要素の外側表面に配置されたリッジを有することができる。伸長構成要素は金属、革、プラスチック、および／または、ガラスのような素材を含むことができる。また、ある特定の実施態様では、伸長構成要素は塗料、エナメル、エンボス、彫刻または石などのデコレーションを含むことができる。
【００１８】
まだ更なる実施態様では、ツールは磁気ストライプ、半導体チップデバイス、集積回路装置、非接触データキャリアタグデバイスまたはバーコードを含むことができる。
【００１９】
また、カードキャリーケースに少なくとも２枚のパーソナルカードを固定し、またそれから取り出すための、以下を含む多目的補助メンバーツールが提供される。共通の基部から末端方向に延びる、一般に平面の少なくとも１つのカード上面把持アームと、一般に平面の少なくとも１つのカード下面把持アームを有する、一般に平らにされたボデイである結合構成要素であって、少なくとも１つのカード上面把持アームと少なくとも１つのカード下面把持アームは相対し、互いにほぼ平行な配置で保持され、ここで少なくとも１つの上面把持アームと少なくとも１つの下面把持アームは、一緒に、少なくとも２つのカードスロットを画定し、それぞれのカードスロットは、開いているフロントエンドと閉じているバックエンドを有し、少なくとも２つのカードスロットは強い摩擦フィットで取り出し可能にパーソナルカードを受け入れ、固定するために適合される結合構成要素、および結合構成要素に取り付けられ、そのベースから末端方向へ伸張する伸長構成要素であって、ツールが少なくとも２枚のパーソナルカードに固定されているとき、カードキャリーケースからの少なくとも２枚のパーソナルカードの把持と取り出しのために適合させられる伸長構成要素。この実施態様のある特定の態様では、多目的補助メンバーツールは第１のカードスロットと２番目のカードスロットを有し、第１のカードスロットのカード下面把持アームが２番目のカードスロットのカード上面把持アームと空間的に同一の広がりを有する(coextensive)。ある特定の態様では、少なくとも２つのカードスロットはずらして配置される。
【００２０】
他の目的、特徴、および本発明の利点は、以下の発明の詳細な説明と添付図面を考慮することにより容易に理解されるだろう。
【図面の簡単な説明】
【００２１】
【図１】図１は、本発明の多目的補助メンバーがカードキャリーケースのパウチの中のコレクションのカードに結合している状態を示している、パーソナルカードコレクションの正面図である。
【００２２】
【図２】図２は本発明の多目的補助メンバーが結合したパーソナルカードコレクションの透視図である。メンバーはポケット内で互いにずらして結合され、カードは長い端部が露出するように配列され、多目的補助メンバーを有する一つのカードが特別なポケット、および／または、スロット内にある。
【００２３】
【図３】図３は、本発明の多目的補助メンバーが結合したパーソナルカードコレクションの平面図である。メンバーはスロット内で互いにずらして結合され、カードは短い端部が露出するように配列され、多目的補助メンバーを有する一つのカードが特別なポケット、および／または、スロット内にある。
【００２４】
【図４】図４は２つの結合構成要素と曲げられたか、又は湾曲可能な伸長構成要素を有する多目的補助メンバーをカードに取り付ける、第１の実施態様の正面図である。
【００２５】
【図５Ａ】図５Ａは、調整可能な２つの結合構成要素と、カスタマイズ可能な伸長構成要素を含む多目的補助メンバーの２番目の実施態様の平面図である。
【００２６】
【図５Ｂ】図５Ｂは２番目の刻み目またはガイドラインがカードの端と並べられるように多目的補助メンバーがカードに取り付けられた図５Ａの多目的補助メンバーの２番目の実施態様の側面図である。
【００２７】
【図５Ｃ】図５Ｃは１番目のスコアまたはガイドラインがカードのエッジと並べられるようにカードに取り付けられた図５Ａのマルチ目的の補助メンバーの２番目の実施態様の側面図である。
【００２８】
【図６Ａ】図６Ａはただ一つの細長い結合構成要素とマルチオリエンテーションの立体的な伸長構成要素を有し、伸長構成要素のデザイン要素は第１のオリエンテーションを有する、多目的補助メンバーの３番目の実施態様の正面図である。
【００２９】
【図６Ｂ】図６Ｂは図６Ａの多目的補助メンバーの３番目の実施態様の側面図である。
【００３０】
【図６Ｃ】図６Ｃは図６Ａの多目的補助メンバーの３番目の実施態様の背面図であり、伸長構成要素のデザイン要素が２番目のオリエンテーションを有する。
【００３１】
【図７Ａ】図７Ａはカードに取り付けられた多目的補助メンバーの４番目の実施態様に関する透視図である。この実施態様ではエッジ結合構成要素と書込可能な表面を有する伸長構成要素を含む。
【００３２】
【図７Ｂ】図７Ｂはカードに取り付けられた図７Ａの多目的補助メンバーの４番目の実施態様の側面図である。
【００３３】
【図８】図８はカードに取り付けられた多目的補助メンバーの５番目の実施態様の側面図である。この実施態様では機械的な把持結合構成要素と厚くされた伸長構成要素を有する。
【００３４】
【図９Ａ】図９Ａはカードに取り付けられる多目的補助メンバーの６番目の実施態様の側面図である。この実施態様ではカードを通る機械的な結合構成要素と２つの部品からの伸長構成要素を有する。
【００３５】
【図９Ｂ】図９Ｂはカードに取り付けられた図９Ａの多目的補助メンバーの６番目の実施態様の正面図である。
【００３６】
【図９Ｃ】図９Ｃはカードに取り付けられた図９Ａの多目的補助メンバーの６番目の実施態様の背面図である。
【００３７】
【図１０Ａ】図１０Ａはカードに取り付けられた多目的補助メンバーの７番目の実施態様の正面図である。多目的補助メンバーは伸張された位置にあって、この実施態様はスプリング入りの結合構成要素と格納式の通路を有する伸長構成要素を含む。
【００３８】
【図１０Ｂ】図１０Ｂは収納された状態の図１０Ａの多目的補助メンバーの７番目の実施態様の正面図である。
【００３９】
【図１１Ａ】図１１Ａは多目的補助メンバーのカード取り出しツール実施態様の側面図である。
【００４０】
【図１１Ｂ】図１１Ｂは、図１１Ａに示されている多目的補助メンバーのカード取り出しツール実施態様の上面からの斜視図である。
【００４１】
【図１１Ｃ】図１１Ｃは、図１１Ａに示されている多目的補助メンバーのカード取り出しツール実施態様の平面図である。
【００４２】
【図１２Ａ】図１２Ａと１２Ｂは図１１Ａのカード取り出しツールへのパーソナルカードの装着を図説する。図１２Ａは、装着の前のカード取り出しツールとパーソナルカードとの整列を示す。矢は装着の方向を示す。
【図１２Ｂ】図１２Ｂはパーソナルカードが差込まれたツールを示す。
【００４３】
【図１２Ｃ】図１２Ｃは伸長構成要素が蝶番で回転している、図１２Ａに示されている多目的補助メンバーのカード取り出しツール実施態様の側面図である。
【００４４】
【図１３Ａ】図１３Ａは指グリップリッジ把持要素を備えた、カード取り出しツール多目的補助メンバーの実施態様の平面図である。
【００４５】
【図１３Ｂ】図１３Ｂは、図１３Ａに示されてたカード取り出しツール多目的補助メンバーの側面斜視図である。
【００４６】
【図１４】図１４Ａ−１４Ｆは階段状のカードスロットを備えたカード取り出しツール多目的補助メンバーを示している。
【００４７】
【図１４】図１４Ａ−１４Ｄは階段状のカードスロットを有するカード取り出しツールへの、薄いパーソナルカードおよび厚いパーソナルカードの装着を図説する。図１４Ａは薄いパーソナルカードと整列されたカード取り出しツールを示す。矢は装着の方向を示す。図１４Ｂは装着された薄いパーソナルカードを把持するツールを示す。図１４Ｃは、厚いパーソナルカードと整列されたカード取り出しツールを示す。矢は装着の方向を示す。図１４Ｄは装着された厚いパーソナルカードを把持するツールを示す。
【００４８】
図１４Ｅと１４Ｆは階段状のカードスロットを有するカード取り出しツールへの、２枚のパーソナルカードの装着を図説する。
図１４Ｅは、２枚のパーソナルカードと整列されたカード取り出しツールを示す。
矢は装着の方向を示す。
図１４Ｆは、１つの階段状のカードスロットに装着された２枚のパーソナルカードを示す。
【００４９】
【図１５】図１５Ａ−１５Ｆは、クラムシェルタイプの伸長構成要素を備えるパーソナルカード取り出しツール多目的補助メンバーの実施態様について示す。  図１５Ａは伸長構成要素が閉じられた状態のパーソナルカード取り出しツールの上面斜視図である。  図１５Ｂはカードスロットに挿入されたパーソナルカードを有する図１５Ａのカード取り出しツールの背面図である。  図１５Ｃはカードスロットに挿入されたパーソナルカードを有する図１５Ａのカード取り出しツールの側面図である。この図では、明瞭化のため伸長構成要素を取り外してある。  図１５Ｄは図１５Ａのカード取り出しツールの平面図である。この図では、パーソナルカードはツールのカードスロットに挿入され、カードは財布のポケットの中に含まれている。伸長構成要素は、革のポケットの中に閉じられ、ポケット内にカードを固定する。  図１５Ｅは、財布カードキャリーケースのウィンドウタイプポケットから部分的に取り出されるパーソナルカードに取り付けた図１５Ａのカード取り出しツールを示す。この図では、ツールの把持を容認して、ウィンドウポケットからのカードの取り出しを容易にするために、結合構成要素に対して９０度の位置に伸長構成要素を開けてある。  図１５Ｆは伸長構成要素が図１５Ｅよりさらに開けられている図１５Ａのカード取り出しツールの上面斜視図である。この位置はツールのカードスロットにカードを挿入するのに有用である。
【００５０】
【図１６】図１６Ａ−１６Ｅは、任意の財布クリップを備えた、パーソナルカード取り出しツール多目的補助メンバーの実施態様を示す。  図１６Ａは財布のウィンドウポケット内に配置されたパーソナルカードを固定するために財布上に配置されたパーソナルカード取り出しツールの平面図である。  図１６Ｂは、図１６Ａに示されているカード取り出しツールと財布の断面図である。  図１６Ｃは、初期の位置合わせ段階のパーソナルカードへの結合の際の図１６Ａのカード取り出しツールの断面図である。この図では、革の上表面は、カードからツールの機能により分離されて、パーソナルカードはツールのカードスロットに部分的に挿入されている。  図１６Ｄはカードと財布ポケットウィンドウメンバーがツールで完全に係合している図１６Ａのカード取り出しツールの断面図である。  図１６Ｅは、パーソナルカードと財布ポケットウィンドウメンバーを完全に係合させた際のカード取り出しツールの平面図である。
【００５１】
【図１７】図１７は、カード取り出しツール（Ａ−Ｊ）の１０個の非限定的な実施例の平面図を示し、それぞれにはパーソナルカードが取り付けられ、結合構成要素、伸長構成要素およびツールのための結合位置の種類について示す。  図１７Ａは爪の引き出し把持要素を備えた伸長構成要素を有する長方形の結合構成要素を有するツールである。  図１７Ｂは蝶番ストラップを備えた伸長構成要素を有する丸い結合構成要素を有するツールである。  図１７Ｃは伸長構成要素へ直接取り付けられた装飾的な要素を備えた伸長構成要素を有する丸い結合構成要素を有するツールである。  図１７Ｄは結合構成要素へ直接取り付けられたチェインループを備えた伸長構成要素を有する丸い結合構成要素を有するツールである。  図１７Ｅは丸い結合構成要素がパーソナルカードのサイドエッジに取り付けられ、爪の把持用のリッジ伸張構成要素を有するツールである。  図１７Ｆは丸い結合構成要素がパーソナルカードのコーナエッジに取り付けられ、多角形ループの伸長構成要素を有するツールである。  図１７Ｇは花形の装飾的な結合構成要素がループ伸長構成要素を有するツールである。  図１７Ｈは伸長構成要素が結合構成要素と一体となったツールである。  図１７Ｈのツールの伸長構成要素は、パーソナルカードの取り出しのために握ることができる把持可能な要素を提供するために結合構成要素から末端へ延びる。  図１７Ｈのツールはパーソナルカードの長いエッジに付けられ、例えば、ペイントおよび宝石のような飾り付けをされたツールのある特定の態様について示す。  図１７Ｉのツールはエンボスされた結合構成要素と宝石で飾られた伸長構成要素ストラップを含むさらに装飾的な要素を示す。  図１７Ｊのツールは、長方形の結合構成要素とクラムシェル伸長構成要素を有する。  図１７Ａ−ＣとＧ−Ｉのツールはそれぞれパーソナルカードの長いエッジに取り付けられる。  図１７Ｄ、Ｅ、およびＪのツールはそれぞれパーソナルカードの短いエッジに取り付けられる。  図１７Ｆのツールはパーソナルカードのコーナエッジに取り付けられる。
【００５２】
詳細な説明
定義
本明細書において“約”は、“約”が付された数値が、そのプラスまたはマイナス１−１０％を含むことを意味する。例えば約１００インチは、状況に応じて、９５−１０５インチ、または９９−１０１インチである。本明細書において、「１から２０」などの数値域は、与えられた範囲内のそれぞれの整数を含む。例えば、「１から２０ｍｍ」は、１ｍｍ、２ｍｍ、３ｍｍ等であり、２０ｍｍを含むことができる。同様に、小数点を含む数値範囲は、与えられた範囲内のそれぞれの数を含んでいる。例えば、「０．３０ｍｍから０．４０ｍｍ」は０．３０ｍｍ、０．３１ｍｍ、０．３２ｍｍ、０．３４ｍｍ、０．３５ｍｍ、０．３６ｍｍ、０．３７ｍｍ、０．３８ｍｍ、０．３９ｍｍ、および０．４０ｍｍを含む。
【００５３】
本明細書において「パーソナルカード」は、人により所持される財布、札入れまたはカードオーガナイザ内に保持できる小さいカードであり、人に関する情報または人により使用される情報を含むものをいう。
本明細書におけるパーソナルカードは、２．５インチ（６．３５ｃｍ）から４インチ（１０．１６ｃｍ）の長さ、１．５インチ（３．８１ｃｍ）から３インチ（１０．１６ｃｍ）の幅、および０．０１インチ（０．２５４ｍｍ）から０．０４インチ（１ｍｍ）の厚さを有する。ある特定の実施態様では、パーソナルカードは、３インチ（７．５ｃｍ）から３．７５インチ（９．５ｃｍ）の長さ、１．７インチ（４．３ｃｍ）から２．８インチ（９．６ｃｍ）の幅、および０．０１５インチ（０．４６ｍｍ）から０．０３インチ（０．７６ｍｍ）の厚さを有する。
【００５４】
パーソナルカードに含むことができる情報は、タイプされたか書かれた情報；写真情報（例えば、人の画像）；コード化された情報（例えば、バーコード化された情報）；電子的に記録された情報（例えば磁気ストライプまたは集積回路に記録された情報）；エンボスされたおよびまたは刻まれた情報（例えば、クレジットカードインプリンティングデバイスで転写できる）が含まれる。パーソナルカードに含まれる情報は、永久的であるかまたは「読み取り専用」タイプであることができ、編集可能であるか書き換え可能な情報であることもできる。
【００５５】
パーソナルカードはプラスチックから典型的に作られているが、コーティングまたはラミネートされたカードストックおよび金属のような他の材料であることができ、また集積回路や磁気ストライプなどの追加要素を含むことができる。カードが作られている素材のタイプは、パーソナルカードに含まれた情報に一部依存する。したがって、例えば、電子的に磁気ストライプに記録された情報を含むパーソナルカードは、磁気ストライプを保護するが、ストライプの情報をスキャンして「読む」ことを許容する材料から典型的に作られる。同様に、集積回路に電気的に記録された情報を含むパーソナルカードは、取り扱いによる損傷から集積回路を保護し、スキャナと集積回路のインタラクションを許可し、保存された情報を読むことができる、十分に伝達可能な素材で作らなければならない。
【００５６】
本発明のある特定の態様では、パーソナルカードはＩＤ−０００カード規格、ＩＤ−１カード規格、ＩＤ−２カード規格、およびＩＤ−３カード規格を含むＩＳＯ／ＩＥＣ７８１０：２００３規格に従う基準の身分証明書である。また、パーソナルカードはＩＳＯ／ＩＥＣ規格１４４４３−１：２００８に従う近接型ＩＣカードを含む。本明細書に使用される「近接型ＩＣカード」は、アクセスを制御するのに使用されるカード、認証および一体性バリデーション、たとえば検出装置によって読まれ、ドア、ゲート、および同様のものを開けるカードなどをいう。近接型ＩＣカードは、非接触検出技術を使い、典型的にはラジオ周波数識別（ＲＦＩＤ）タグのような集積回路を有している。また、パーソナルカードはＩＳＯ／ＩＥＣ規格１５６９３−１：２０００に従う、「近傍型ＩＣカード」として知られている、非接触の集積回路身分証明書を含む。
【００５７】
また、パーソナルカードは運転免許証を含み、特にＩＳＯ／ＩＥＣ基準１８０１３−１：２００５に従う、ＩＳＯ対応運転免許証を含む。また、ＩＳＯ／ＩＥＣ基準１５４５７−１：２００８に従う薄いフレキシブルなカードもパーソナルカードの定義に含まれる。
【００５８】
また、「金融取引カード」もパーソナルカードの定義に含まれている。そのようなカードは、情報を保存し、転送できる磁気ストライプを有する、クレジットカード、デビットカード、他の銀行カード、ポイントカード（例えば、商店ポイントカード）、および同様のものを含む。金融取引カードはＩＳＯ９９９２、ＩＳＯ／ＩＥＣ７８１３、およびＩＳＯ／ＩＥＣ４９０９規格の１種以上に従うものを含んでいる。
【００５９】
本明細書において使用される時、「カードキャリーケース」はパーソナルカード、特には運転免許証とクレジットカードを持つために適合するように設計された財布、札入れ、オーガナイザ、クラッチまたは他のケースをいう。また、カードキャリーケースの定義に含まれているのは、パーソナルカードを保持するためのポケット、スロットまたは他の適当なものを有するブリーフケース、バックパック、ハンドバッグ、財布、ウエストポーチ、スーツケースなどがある。
【００６０】
「強い摩擦によるフィット」、「摩擦によるフィット」「インターフェレンスフィット(interference fit)」が、たとえばパーソナルカードと、該パーソナルカードを受容するように適合された本発明のパーソナルカード取り出しツールのカードスロット結合構成要素とのような、２つのかみ合わせ部分の完全にフィットした固定について、互換性を持って使用される。強い摩擦によるフィット固定は、固定具の任意の他の手段ではなく、部材が一緒に押された後の摩擦によって達成される。部材を一緒に結合する摩擦は、もう片方に対する一方の圧縮によりしばしば大いに増強される。これは部材が作られている素材の引っ張り強度と圧縮強度による。一般に、インターフェレンスフィットは、２つの噛み合い部材の１または他方を賦形して、１または他方が通常のサイズからわずかに逸脱するように形成することによって、達成される。インターフェレンスの用語は、１方の部材が、もう片方が占めているスペースをわずかに妨げるという事実を示す。当業者は、２つの噛み合わせ部材の間の「アローワンス（通常のサイズからの計画された差）」の変化が、フィット強度の差、たとえばゆるいフィット、軽いフィットまたは軽い摩擦フィット、およびインターフェレンスフィットまたは強い摩擦によるフィットを与えることを十分に理解するだろう。アローワンスの値はどの素材が使用されているか、そして、部材がどれくらい大きいか、そして、どの程度のきつさが望ましいかに依存する。
【００６１】
本明細書に記載された発明のある特定の実施態様では、多目的補助メンバーの結合構成要素のカードスロットは、パーソナルカードに噛み合わされ、カードスロットで１以上のポイントで２つの間のタイト摩擦フィットを達成する（以下で、説明する）。強い摩擦フィットは、望まれる場合に多目的補助メンバーからカードの取り出しを防ぐほどきつくはなく、カードキャリーケースにおける繰り返された装着と取り出しを通して多目的補助メンバーのカードスロットの中にカードを固定できるくらい十分なものである。
【００６２】
図１−１７に示されているように、本発明は少なくとも１つのコンパートメント２６を有する財布または同様のカードキャリーケース２４の中で保持される、上で定義される「パーソナルカード」および／または「パーソナルカードコレクション」（一般に、参照番号２２ですべて言及される）による使用のための、多目的補助メンバー（一般に、参照番号２０で言及される）に関する。補助メンバーシステムを形成するのに複数の多目的補助メンバー２０を一緒に使用できる。
【００６３】
図１−３は、多目的補助メンバー２０を有するパーソナルカードコレクション２２が、例示のカードキャリーケース２４のコンパートメント（パウチ２６ａ、ポケット２６ｂ、スロット２６ｃ、および／または窓を有するスロットを含む特別なポケットおよび／またはスロット２６ｄ）内にある状態を示す。例えば、図１は、多目的補助メンバー２０が例示のカードキャリーケース２４のパウチ２６ａ内にある状態の、パーソナルカードコレクション２２を示している。図２は、パーソナルカードコレクション２２、多目的補助メンバー２０を有する少なくとも１つのカード２２を含む、例示のカードキャリーケース２４を示す。図２の例示のカードキャリーケース２４には、互いにずらして配置されるポケット２６ｂがあり、カード２２は長い端部３４（または、長い端のみ）が露出されるように配置される。図３は、パーソナルカードコレクション２２、多目的補助メンバー２０を有する少なくとも１つのカード２２を含む、例示のカードキャリーケース２４を示す。図３の例示のカードキャリーケース２４には、互いにずらして配置されるスロット２６ｃがあり、カード２２は短い端部３６（または、短い端のみ）が露出されるように配置される。図２および３の例示のカードキャリーケース２４には、特別なポケットおよび／またはスロット２６ｄがあり、多目的補助メンバー２０を有する単一のカード２２を挿入できる。
【００６４】
図４、５Ａ−５Ｃ、６Ａ−６Ｃ、７Ａ−７Ｂ、８、９Ａ−９Ｃ、および１０Ａ−１０Ｂは、多目的補助メンバー２０（具体的には多目的補助メンバー２０ａ−２０ｇとラベルされる）の例示の実施態様を示している。多目的補助メンバー２０には、それぞれ２つの構成要素がある：少なくとも１つの結合構成要素３０と少なくとも１つの伸長構成要素３２である。結合構成要素３０は、カード２２のどんな端部（例えば、長い端部３４、コーナー端部３５、または短い端部３６）にも付くように設計されている。「端部」３４，３５、３６は、一番外側の環状の端に隣接した一部または全て（たとえば環状の周縁部）をいい、並びに一番外側の環状の端に実質的に隣接（たとえば約．７５インチ（２ｃｍ）以内）した上面および／または下面をいう。結合構成要素３０がカード２２の端部に取り付けられるとき、伸長構成要素３２は、カード２２の一番外側の環状の端を超えて伸張するか、カード２２の一番外側の環状の端を超えて伸張でき、またはカード２２の表面を超えて伸張する。
【００６５】
結合構成要素３０
上に詳しく説明されたように、少なくとも１つの結合構成要素３０が、パーソナルカード２２のどんな端部（例えば、長い端部３４、コーナー端部３５、または短い端部３６）にも付くように適合させられる。それぞれのカードキャリーケース２４がユニークであるので、これは本発明の顕著な特徴である。いくつかのカードキャリーケース２４では、長い端部３４（または、長い端のみ）が露出されるように、カード２２が配向されるコンパートメント２６を有する（図１および２を参照）。いくつかのカードキャリーケース２４では、短い端部３６（または、短い端のみ）が露出されるように、カード２２が配向されるコンパートメント２６を有する（図３を参照）。いくつかのカードキャリーケース２４では、いくつかのカード２２は短い端部３６（または、短い端のみ）が露出されるように配向され、他のカード２２は、長い端部３４（または、長い端自体）が露出されるように配向され、さらに、他のカード２２は、コーナー端部３５（または、コーナー部のみ）が露出されるように配向される。いくつかのカードキャリーケース２４（例えば、特別なポケット、および／または、スロット２６ｄを有するもの）では、エッジが全く露出されない。従って、カード２２のどんな端部３４、３５、３６にも適合される少なくとも１つの結合構成要素３０を有することは、本発明の特徴の１つである。１つのタイプの端部３４、３５、３６に取り付けられた特定の多目的補助メンバー２０の例示の実施態様は、多目的補助メンバー２０がそのタイプの端部３４、３５、３６だけに付けられように制限するものではないことに留意すべきである。キャリヤー４０と結合メカニズム４２を含むものとして結合構成要素３０を最も良く記述できる。キャリアー４０は、たとえば紙（例えば、カードストック、および／または、段ボール）、プラスチック、ベラム（ｖｅｌｕｍ）、布帛、金属（例えば、貴金属または非貴金属）、革、石、木、プラスチック、ゴム、または比較的薄い材料またはそれらの組み合わせをはじめとする任意の材料で作ることができる。意図する用途が素材の選択に影響を及ぼすことができることに留意するべきである。例えば、結合構成要素３０がパーソナルカード２２の重要な特徴（例えば、盛り上げおよび／または印刷されたテキスト、盛り上げおよび／または印刷された数、写真、および／または、ロゴ）をカバーする可能性があれば、キャリヤー４０に非常に薄い（例えば、．０００３インチ（．０１ｍｍ）と．０２９５インチ（．７５ｍｍ）の間）および／または透明な材料を使用するのが、望ましい場合がある。また、パーソナルカードコレクション２２に嵩を追加しないだろうから、キャリヤー４０に非常に薄い材料を使用するのも有利であるだろう。また、キャリヤー４０に非常に薄い素材を使用するさらに別の利点は、カードの磁気ストライプの使用を妨げないという（妨害しないなら、より厚い素材を使用できる）ことであるだろう。例えば、結合メカニズム４２は接着剤（例えば、伝統的な接着剤コーティング４２または代替の接着剤４２’）、機械的結合メカニズム４２’’（例えば、歯４２’’などの機械的な把持結合メカニズムまたはピン４２’’などのカードを通した結合メカニズム）、磁気結合メカニズム（図示せず）、および／または結合構成要素の３０のキャリヤー４０をパーソナルカード２２に取り付けるのに適当な任意の結合メカニズムであることができる。
【００６６】
接着剤の結合メカニズム４２が使用される場合には、それは任意のさまざまなタックレベルを有することができる（例えば、低いタック、中程度のタック、高いタック、および最高に高いタック）。「低いタック」は、一時的であるか、または非常に脱着可能である（例えば、ＰＯＳＴ−ＩＴ（登録商標）ノートタック）。「最高の高いタック」は本質的には永久的である。最もよく知られているインデックスタブが紙またはカードストックに取り付けられる。例えば、迅速な参照のために低いタックの接着剤を有する「インデックスタブ」をドキュメントまたはページに一時的に付けることができる。他の「インデックスタブ」は永久に、最高の高いタックの接着剤で専用紙またはカードストックデバイダに取り付けられる。本発明のある特定の実施態様では、半永久的な接着剤を使用する（例えば、中程度の粘着力の接着剤、および／または、高いタックの接着剤）。例示の半永久的な接着剤としては、Ｇｌｕｅ  Ｄｏｔｓ  Ｉｎｔｅｒｎａｔｉｏｎａｌ、  Ｇｅｒｍａｎｔｏｗｎ，  ＷＩ（ｇｌｕｅｄｏｔｓ．ｃｏｍを参照）からの高タック感圧接着剤、ＧＬＵＥ  ＤＯＴＳ（登録商標）および／または３Ｍ、Ｓｔ．Ｐａｕｌ，ＭＮ（３Ｍ．ｃｏｍ  参照）からの３Ｍ（登録商標）ＶＨＢ（登録商標）のような接着剤転写テープがあげられる。半永久的な粘着剤が本発明で使用できる理由は、ほとんどのパーソナルカード２２がかなりの期間使用されることが意図されて、したがって、耐久性のためにプラスチックから作られているか、またはコーティングされているからである。これにより、しっかりとパーソナルカードの表面に接着し、長期間の間の使用を可能にするが、必要な場合には比較的容易に取り除くことができる、半永久的な粘着剤を使用することが可能になる。例えば、爪を使用するか、表面をこするか、または温和な溶媒を使用することにより取り除くことができる。例えば、パーソナルカード２２の期限が切れた時、カード２２が異なる向きでコンパートメント２６に移される場合、または多目的補助メンバー２０が他の理由で破損した場合には、多目的補助メンバー２０を取り除くことが必要または望ましい場合がある。
【００６７】
結合構成要素３０の長さと幅は、多目的補助メンバー２０の方向と同様にパーソナルカード２２の大きさ形状によってのみ制限されている。多目的補助メンバー２０の柔軟性とそれの位置決めを最大にするために、結合構成要素３０は満足できる接続を作ることができる程度に大きいが、比較的小さいものであるべきである。（結合構成要素３０が透明であるなら、その上に置かれる全てのテキストを明らかに妨げないだろう。）ある特定の実施態様では、結合構成要素３０は伸長構成要素３２と同じかまたはより狭い幅を有する。代替の実施態様では、カードキャリーケース内において空間的拘束が許可される関連伸長構成要素３２より広い幅の結合構成要素３０を有する。紙またはカードストックに付着する従来技術のインデックスタブは、それらとともにある伸長構成要素３２より広い幅を有し、紙またはカードストックが裂けることを防止する。しかし本発明の多目的補助メンバー２０が取り付けられるパーソナルカード２２では一般にこれは問題ではない。
【００６８】
以下で詳細に、例示の多目的補助メンバー２０の結合構成要素３０の実施態様について議論する。例示の実施態様は、図４に示されているように、２つの結合構成要素３０ａ（それが取り付けられるカード２２の各面のためのもの）、図５Ａ−５Ｃに示されたような、調整可能な２つの結合の構成要素３０ｂの実施態様、図６Ａ−６Ｃに示されたような、内側に先細にされた、一つの細長い結合構成要素３０ｃ、図７Ａ−７Ｂに示されたような端（キャリヤー４０がまさに端の表面である）結合構成要素３０ｄ、図８に示されたような、機械的な把持結合構成要素３０ｅ、図９Ａ−９Ｃに示されたような、カードを通る機械的な結合構成要素３０ｆ、図１０Ａ−１０Ｂに示されるような、スプリング入りの結合構成要素３０ｇ、図１１−１７に示されるような、強い摩擦結合構成要素３０ｈを含むが、これらに制限されるものではない。これらの実施例は本発明の範囲を制限するものではない。
【００６９】
伸長構成要素３２
伸長構成要素３２は、同定、把持、宣伝、技術の付加、アクセサリーの取り付け（例えば、ファッションを加える）、書くための表面、および組織化をはじめとする多くの目的を有する。図１１−１７に示されるように、多目的補助メンバーがカード取り出しツールである本発明の特定の実施態様では、伸長構成要素３２の一次的な目的は、多目的補助メンバーを把持する手段を提供し、それにより、多目的補助メンバーが取り付けられているパーソナルカード２２を間接的に把持することである。また、付加機能が把持の一次的な目的を妨げない限り、同定、広告、アクセサリーの取り付け、組織化および同様のものなどの追加機能のために、そのような伸長構成要素を適合させることができる。
【００７０】
伸長構成要素３２の把持手段５０は、多目的補助メンバーを提供し、サイズまたは表面積を拡張するか、または増大させることにより達成できる。ここで伸長構成要素は例えば、多目的補助メンバーが取り付けられるパーソナルカードの環状の端を越えて伸張する、タブ、チェーン、タイまたは他の構造であることができる。ある特定の実施態様では、把持手段５０は、指先または爪によってアクセス可能なリッジまたはくぼみであり（例えば、図１３Ａ、１３Ｂ、１７Ａ、および１７Ｅ）、カードキャリーケースから多目的補助メンバーと添付のカードを引き出すことができるようにする。また他の実施態様では、把持手段５０は２本の指の間で握られる時に伸長構成要素のスリップを減少させる伸長構成要素の表面に付けられた形状またはテクスチャを含んでいる。本発明のいくつかの態様では、伸長構成要素は蝶番を付けるか（例えば、図１５Ｅおよび１５Ｆ）、または他の方法で結合構成要素（例えば、チェーン、タイまたはストラップ）に対して移動できるようにされ、把持手段はカードキャリーケースから多目的補助メンバーを取り除くために、てこの作用力を適用する能力を含むことができる。図１５Ｄ−１５Ｆに、把持手段のてこの作用の１つの態様を見ることができる。これらの図では、伸長構成要素はクラムシェルのように作動して、結合構成要素に平行な位置の閉鎖位置（図１５Ｄ）から、結合構成要素に対して約９０度の位置に折り曲げることができる（図１５Ｅ）。図１５Ｅで図説されるように、これは別の指で伸長構成要素の相対する面を任意に支えつつ、カードキャリーケースのスロットから多目的補助メンバーを押すために親指または他の指から圧力を加えることを許容する。ある特定の実施態様では、クラムシェルを完全に、またはより少なくないしより多く開くことができ、伸長構成要素と結合構成要素がお互いに様々な角度、たとえば４５度、１２０度（図１５Ｆ）、および１８０度になることができる。他の実施態様では、伸長構成要素は、個々の位置に開くか、または止まることができ、たとえば結合構成要素に対して９０度（図１５Ｅ）にすることができる。
【００７１】
ある特定の実施態様では、多目的補助メンバー２０を取り付けてあるパーソナルカード２２を個性化するために、何らかの方法で伸長構成要素３２に印刷するか、マークするか、または表面仕上げをすることができる。カードキャリーケース２４が開かれた瞬間に、それぞれの個々のカード２２を同定して、その場所を見つけることを可能にすることにより、カードキャリーケース２４の組織化を、それぞれのパーソナルカード２２の個性化が助ける。
【００７２】
さまざまなサイズと形状に伸長構成要素３２を製造できる。例えば、伸長構成要素３２は、３枚の別々のカード２２（左側に１つ、中央に１つ、および右側に１つ）に３つの多目的補助メンバー２０を使用でき、３枚のカードが一緒に重ねられた時に、伸長構成要素３２が重ならないように、標準のパーソナルカード２２の約１／３の長さの幅を持つことができる。同様に、伸長構成要素３２は、１０枚の別々のカード２２（ずらして配置される）に１０個の多目的補助メンバー２０を使用でき、１０枚のカードが一緒に重ねられた時に、伸長構成要素３２が重ならないように、標準のパーソナルカード２２の約１／１０の長さの幅を持つことができる。
【００７３】
ある特定の実施態様では、伸長構成要素３２は、カードキャリーケース２４とのさしさわりを防ぐか、または嵩を抑えるためには最小量のサイズのものである。他の実施態様では、伸長構成要素３２がパーソナルカード２２より長いことが、望ましい場合がある。例えば、本発明において、伸長構成要素３２は片端が結合構成要素３０に取り付けられ、他の端がパーソナルカード２２を所有者につなぐための、カードキャリーケース２４、ハンドバッグ、衣服または同様のものに、取り外し可能にまたは永久的に固定するために結ばれ、クリップされ、または固定される、コード、ひも、チェーン、または同様のものであることができる。窃盗または偶然の置き間違いのためによるカードの損失を防ぐために、そのような実施態様を使用できる。そのようなつながれた実施態様は、例えば、点検またはカードの磁気ストライプをスキャンするために、所有者との接続を保持しつつ、カードキャリーケース２４からのパーソナルカード２２の取り出しを許可することが企図される。所有者が、カードキャリーケース２４内でパーソナルカード２２を置き換えるのを忘れた場合には、無くなるのではなく、所有者または彼の所有物に取り付けられたまま残っているだろう。当業者は、本発明の伸長構成要素のそのような適合および使用について多くの状況があることを理解するだろう。
【００７４】
多目的補助メンバー２０は、紙（例えば、カードストック、および／または、段ボール）、プラスチック、ベラム、布帛、金属（例えば、貴金属または非貴金属）、革、石、木、プラスチック、ゴム、または比較的薄い材料またはそれらの組み合わせをはじめとする、上記の小さいサイズで直立するに十分堅い任意の材料で作ることができる。意図する用途が素材の選択に影響を及ぼすことができることに留意するべきである。例えば、より長持ちする素材が、耐久性が重要である用途（例えば、煩雑に長期間使用されるカード２２に取り付ける場合）で必要であるが、耐久性が重要でない用途（例えば、ホテルの部屋の鍵カードのような限定的な寿命のカード２２に取り付ける場合）では安価な素材を使用できる。多目的補助メンバー２０が記入される必要がある場合には、選ばれる素材は、そのために適当でなければならないだろう。図１１−１７に示されたような特定の実施態様では、多目的補助メンバー２０が強くて、堅くて長持ちする素材、たとえば金属またはプラスチックで作られ、パーソナルカード２２に取り付けカードキャリーケース２４からパーソナルカード２２の取り出しを容易にするという一次的な目的を持っている。また、本発明は、１つ以上の素材で多目的補助メンバー２０を作ることも企図する。例えば、本発明のある態様では、多目的補助メンバー２０、またはその結合構成要素３０は、たとえば金属またはプラスチックのような堅くて長持ちする物質で作られることができるが、たとえば革、布帛、エナメル、ガラス、水晶、ジェムストーン、紙、段ボールおよび同様のものなどの、強くなく、堅くなく、耐久性のないその他の材料から作られた装飾的な要素を含むことができる。本発明の多目的補助メンバーの伸長構成要素３２は、柔軟な材料と堅い材料の両方を含んで、組成を変化させることができる。
【００７５】
さまざまな形状とサイズで多目的補助メンバー２０を製造できるが、ある特定の実施態様では、多目的補助メンバー２０がパーソナルカード２２に取り付けられる時、パーソナルカード２２の外側の環状の端を超えて伸長構成要素３２が延びる。１つの実施態様では、カード２２の一番はずれの輪状の端を超えて伸長構成要素３２は約０．２インチ（５ｍｍ）から０．５インチ（１３ｍｍ）伸張する。ある特定の実施態様では、伸長構成要素３２は０．２５インチ（７ｍｍ）から１．５インチ（３８ｍｍ）の幅を有し、他の実施態様では伸長構成要素３２は約０．５インチ（１３ｍｍ）の幅を有する。伸長構成要素３２には、比較的薄い（例えば、０．０００７インチ（．０２ｍｍ）から０．０７８７インチ（２ｍｍ）の間の）素材を使用することが、望ましい場合がある。パーソナルカードコレクション２２に嵩を追加しないので、伸長構成要素３２に比較的薄い素材を使用するのは有利である。伸長構成要素３２が実質的にカード２２の上または側面へおかれる特定の実施態様では、パーソナルカードコレクション２２に嵩高さを与えることなく、キャリヤー４０より厚くなることができる。
【００７６】
以下で詳細に、例示の多目的補助メンバー２０の伸長構成要素３２の実施態様について議論する。例示の実施態様は、図４に示された実施態様のように、曲がるかまたは屈曲可能な伸長構成要素３２ａ、図５Ａ−５Ｃに示されるような、カスタマイズ可能（取替え可能に設計された物品または技術デバイス）な伸長構成要素３２ｂ、図６Ａ−６Ｃに示されるような、マルチオリエンテーションおよび立体的な伸長構成要素３２ｃ、図７Ａ−７Ｂに示されるような、書込可能な表面を有する伸長構成要素３２ｄ、図８に示されるような、厚い伸長構成要素３２ｅ、図９Ａ−９Ｃ示されるような、２部品の伸長構成要素３２ｆ、図１０Ａ−１０Ｂに示されるような、格納式の通路を有する伸長構成要素３２ｇ、図１１Ａ−１１Ｄに示されるような、蝶番式の伸長構成要素を含むが、これらには限定されない。これらの実施例は本発明の範囲を制限するものではない。
【００７７】
例示の実施態様
以下の記載は例示の多目的補助メンバー２０の例示の結合構成要素３０について説明する。これらの実施例は本発明の範囲を制限するものではない。
【００７８】
図４に示されるように、多目的補助メンバー２０ａの第１の実施態様は、２つの結合構成要素３０ａ（取り付けられるカード２２のそれぞれの面に対して）と、曲がるかまたは屈曲可能な伸長構成要素３２ａを有するものとして記載される。２つの結合構成要素３０ａがあるので、同じタックを有する接着剤を使用するただ一つの結合構成要素の実施態様と比べて、この実施態様は特にしっかりとカード２２に取り付けられる。結合構成要素３０ａはともにキャリヤー４０と接着剤結合メカニズム４２を含んでいる。曲がったかまたは湾曲可能な伸長構成要素３２ａは、あらかじめ曲げることができるか、またはユーザが曲げることができる。湾曲させることは、例えば、ユーザが見下ろす時に多くのカード２２がパウチ２６ａ内にある場合に、目視目的のために有利であるだろう。その上にエンボス・デザイン（一種の把持面を提供する）が示されているが、伸長構成要素３２ａは、たとえば印刷された表面または書込可能な表面を有することができる。
【００７９】
図５Ａ−５Ｃに示されているように、多目的補助メンバー２０の２番目の実施態様は、調整可能な２つの結合の構成要素３０ｂとカスタマイズ可能な（デザイン要素または技術デバイスとして示される）伸長構成要素３２ｂを有するものとして記述できる。この実施態様には、付けられる時に、２つの結合構成要素３０ｂを有する（取り付けられるカード２２の各面のためのもの）。この実施態様では、全体の多目的補助メンバー２０ｂは、接着剤の結合メカニズム４２を有するキャリヤー４０であることができる。図５Ａは多目的補助メンバー２０ｂの平坦で予備付着している段階を示す。この実施態様では、多目的補助メンバー２０ｂはその縦の長さに沿っておよそ中間点に垂直な折り目４４ａを持っている。また、多目的補助メンバー２０ｂのボジショニングについてユーザを助けるために、少なくとも１つの刻み目またはガイドライン４４ｂ、４４ｃを有しても良い。示された実施態様には、第１の刻み目またはガイドライン４４ｂ（折り目の４４ａと多目的補助メンバー２０ｂの端の間のほぼ中間）、２番目の刻み目またはガイドライン４４ｃ（折り目４４ａと最初の刻み目またはガイドライン４４ｂの間のほぼ中間）がある。また、この実施態様に示されているのは、デザイン要素または技術デバイス４６ａ、４６ｂであり、取替え可能である。以下で技術デバイスについて議論する。例えば、デザイン要素は、適切なサイズのチャーム、宝石、印刷物（例えば、名前またはロゴを示す小さいカード）、ユーザのカスタマイズ可能なラベル、または任意の他の装飾的または実用的な物品であることができる。デザイン要素が使用される場合には、キャリヤー４０は無色または透明であり、それを通してデザイン要素を見ることができるようにすることができる。図５Ｂは、多目的補助メンバー２０ｂが配置され、刻み目または２番目のガイドライン４４ｃがカード２２の端と並べられるようにしたものを示す。この配列は、伸長構成要素３２ｂを比較的短くし、したがって、それほど多くないクリアランスのとき、使用に適したものになるだろう。図５Ｃは、多目的補助メンバー２０ｂが配置され、第１の刻み目またはガイドライン４４ｂがカード２２の端と並べられるようにしたものを示す。この配列は、伸長構成要素３２ｂを比較的長くする。
【００８０】
図６Ａ−６Ｃに示されるように、多目的補助メンバーの３番目の実施態様は、１つの細い（内側に先細りとして示される）結合構成要素３０ｃおよびマルチオリエンテーションと立体的な伸長構成要素３２ｃを有するものとして記述できる。この実施態様は、単一の結合構成要素３０ｃ（それが取り付けられるカード２２の一つの表面に取り付けられる）を有する。この実施態様では、結合構成要素３０ｃは、接着剤の結合メカニズム４２を有するキャリヤー４０（それは伸長構成要素３２ｃと少なくとも部分的に同一空間を占めることができる）を含んでいる。示された例示の接着機構４２は、別々の構成要素であることができる両面テープ（結合構成要素３０ｃは、接着剤を有していないキャリヤー４０が、両面に裏紙の貼られた両面テープとともに販売されることができ、使用前に使用者が貼り付けることができる。または一面にあらかじめ両面テープを付けることもできる（たとえば、結合構成要素３０ｃは、両面テープの片側が接着されていて、反対側がまだ裏紙を有するキャリヤー４０とともに販売され、カード２２にそれを取り付ける前に使用者が裏紙を取り外すことができる）。図６Ａおよび６Ｂは、デザイン要素４８ａ、４８ｂ（例えば、ロゴ、および／または、テキスト）が伸長構成要素３２ｃの両面にあり、デザイン要素４８ａ、４８ｂは、異なる方向に向いているという本発明の異なるユニークな態様を示す。例えば、図６Ａでは、デザイン要素４８ａは伸長構成要素３２ｃの縦軸に対して垂直な向きであるが、図６Ｃでは、デザイン要素４８ｂは伸長構成要素３２ｃの縦軸に対して水平な（直角な）向きをしている。これで、ユーザは彼の特定のカードキャリーケース２４、および／または、方向に依存して向きを選ぶことができる。図６Ａ−６Ｂに示される実施態様の別のユニークな特徴は、伸長構成要素３２ｃについて把持要素５０（一連の高くしている石または宝石として示される）があるということである。図６Ｂは、把持要素５０が伸長構成要素３２ｃの両面からはみ出ることができるのを示している。あるいはまた、把持要素５０は伸長構成要素３２ｃのただ一つの側面だけからはみ出ることができる。把持要素５０がエンボス、成形（または他の一体化手段）、表面への接着、または他の手段の、ユーザが伸長構成要素３２ｃを把持するのを助ける手段（例えば、摩擦を加えるか、またはリッジを提供する）であることができることに留意するべきである。
【００８１】
図７Ａ−７Ｂに示されるように、多目的補助メンバー２０ｄの４番目の実施態様は、エッジ結合構成要素３０ｄと、書込可能な表面の伸長構成要素３２ｄを有するものとして記述できる。エッジ結合構成要素３０ｄでは、キャリヤー４０が表面伸長構成要素３２ｄのエッジの表面である。また、この実施態様は、接着剤またはエポキシなどの接着剤のビーズラインである代替の接着剤４２’を示している。多目的補助メンバー２０ｄをインストールするために、表面伸長構成要素３２ｄ（および／またはカード２２のエッジの表面に沿って）の端表面に代替の接着剤４２’’を置いて、次に、表面伸長構成要素３２ｄの端表面をカード２２の端表面と接触させ、２つの端表面を代替手段の接着剤４２’’で一緒に接着させる。この実施態様では、伸長構成要素３２ｄはユーザがその上に書くことができる（例えば、筆記用具５２を使用して）書込可能な表面を持っている。
【００８２】
図８に示されるように、多目的補助メンバー２０ｅの５番目の実施態様は、機械的な把持結合構成要素３０ｅと厚い伸長構成要素が３２ｅを有するものとして記述できる。この実施態様における機械的な把持構成要素３０ｅは２個の脚のキャリヤー４０を含んでいる。そのそれぞれは、歯、つめ、ノブ、またはカード２２への多目的補助メンバー２０ｅの保持を助ける任意の機構である、少なくとも１つの機械的な把持結合機構４２’’を有する。この実施態様では図示されていないが、２つの脚のキャリヤー４０は、お互いに角度を為すことができる。カード２２がお互い角度を為す２個の脚のキャリヤー４０の間に挿入されるとき、カード２２は、２個の脚のキャリヤー４０を離しながら押し込まれる。そして、２個の強制的に離された脚のキャリヤー４０は、その間にカード２２を固定するのを助ける内側への圧力を提供するだろう。さらに、この実施態様では示されていないが、また、機械的な把持構成要素３０ｅは２つの脚のキャリヤー４０が、よりしっかりとカード２２をつかむ１種以上の代替機構を含むことができる。例えば、この場合、厚い伸長構成要素３２ｅはメタルチャーム(metal charm)であることができる。また、それは、技術デバイス、および／または、デザイン要素を囲み、カプセル化し、および／または、隠すことができる。さらに、厚い伸長構成要素３２ｅは、少なくとも部分的に内部を通ることができる通路（例えば、ポケットまたはスロット）を有し、それを通して技術デバイス、および／または、デザイン要素を挿入可能、および／または、脱着可能とすることができる。
【００８３】
図９Ａ−９Ｃに示される多目的補助メンバーの６番目の実施態様２０ｆは、カードを通した機械的な結合構成要素３０ｆと２つの伸長構成要素３２ｆを有するものとして記述できる。示されたように、２つの伸長構成要素３２ｆはデザイン要素５６（技術的なものを含むことができる）とラッチ５８ａ／ソケット５８ｂの組み合わせを含んでいる。
ラッチ５８ａとソケット５８ｂは、ラッチ５８ａに取り付けられるデザイン要素５６を容易に変えることを許容する。ラッチ５８ａ／ソケット５８ｂの取り付けは、２つの部品の伸長構成要素３２ｆの例示の取り付けであることに留意するべきである。従って、他の２つの部品の伸長構成要素３２ｆは、磁気的な２つの部品のメカニズム、フックおよびアイ、または任意の２つの部品のメカニズムで有ることができる。例えば、ユーザーは１週間の毎日またはそれぞれの服装のために異なった宝石またはチャームを取り付けることができる。また、ラッチ５８ａおよびソケット５８ｂを結合構成要素３０ｆの一部であるとして記述できることに留意するべきである。カードを通る機械的な結合構成要素３０ｆは、キャリヤー４０（ソケット５８ｂの後部として示される）と、カードを２２を通離抜け固定することができるくらいの長さのカードを通る任意の結合メカニズム４２’’（例えば、ピン、リベット、および／または、貝折れ釘(brad)）を有する。示された実施態様では、カードを通る結合メカニズム４２’’は貝折れ釘様のデバイスであり、カード２２に多目的補助メンバー２０ｆを固定するために広げられる２つの爪を有する。カードを通る結合メカニズム４２’’は、自分で穴を開けることができるもの（例えば、鋭く、カード自体を貫けるもの）であることができ、またあらかじめ穴の開けられたカード（例えば、カードを通した結合メカニズム４２’’を使用する目的または別の理由（例えば、フォッブカード）のために穴が開けられたカードと共にそれを使用できる。
【００８４】
図１０Ａ−１０Ｂに示されているように、多目的補助メンバー２０ｇの７番目の実施態様は、スプリング入りの結合構成要素３０ｇと格納式の通路（例えば、ポケットまたはスロット）を有する伸長構成要素３２ｇを有するものとして記述できる。図１０Ａは、伸張した位置の多目的補助メンバー２０ｇを示し、図１０Ｂは格納された位置の多目的補助メンバー２０ｇを示す。スプリング入りの結合構成要素３０ｇは、示されたように、３面のスリーブ６０を有し、該スリーブは開放端の両側面にリップ６２を有し、その内部に配置されたスプリング６４を有する。スプリング入りの結合構成要素３０ｇ（または３面のスリーブ６０）は、任意の結合メカニズム（図示せず）を使用して、カード２２に取り付けることができる（例えば、３面のスリーブ６０の後部）。格納式の通路を有する伸長構成要素３２ｇは、それの両面にキャッチ６６を有し、それぞれのキャッチ６６は、多目的補助メンバー２０ｇが伸張した位置（図１０Ａ）にあるとき、それぞれのリップ６２と係合するように設計されている。圧力が格納式の通路を有する伸長構成要素３２ｇに加えられるとき、スプリング構成要素６４は圧縮され、格納式の通路を有する伸長構成要素３２ｇが３面のスリーブ６０内にスライドする。圧力を緩めると、スプリング構成要素６４は伸張し、格納式の通路を有する伸長構成要素３２ｇが３面のスリーブ６０からスライドして外側に出るが、リップ６２／キャッチ６６が、格納式の通路を有する伸長構成要素３２ｇが飛び出すことを防止する。格納式の通路を有する伸長構成要素３２ｇは、図示するように、通路６８を少なくとも部分的に含んでいる。書込可能な要素、印刷可能な要素、技術デバイス、および／または、デザイン要素（一般に、アイテム７０として示される）を収容するのに、通路６８を使用できる。この実施態様はほとんどクリアランスが無いカードキャリヤケース２４において有用であり、フラップが閉じられる（またはジッパーが閉められる）時に、格納式の通路を有する伸長構成要素３２ｇは３面のスリーブ６０内に収納され、フラップが開かれる（ジッパーは開けられる）時に、格納式の通路を有する伸長構成要素３２ｇは３面のスリーブ６０内から出てくる。また、カード２２がスキャナを通してスライドされるか、またはスロット内に挿入される（たとえばＡＴＭ／銀行マシンにおいて、または、例えば、ガソリンスタンドで）のを許容するために、この実施態様を使用するのも有利であるだろう。スプリング構成要素６４を省略することによって、代替の実施態様を作成できることに留意するべきである。この代替の実施態様では、伸長構成要素３２ｇは、３面のスリーブ６０に滑り込むが、押し上げ返されない。３面のスリーブ６０から伸長構成要素３２ｇを手動でスライドさせるのに、指のグリップ、レバー、ダイヤル、または他のアクチュエータを使用できる。他の例示の伸長は図１−３に示されている。例えば、図３はフック、ひも、または他の結合要素がそれを通して挿入されるのを許容する伸長を通して、スルーホールを有する切り抜き(cutout)を有する伸長３０ｈを示す。また、図３は、その上にエンボス・デザインを持っている伸長３０ｉ、細くて長く宝石を有する伸張３０ｊ���賦形された金属である伸長３０ｋ、および把持表面を有する伸長３０ｌを示す。図１および２に示される他の例は、伸長の形状が伝統的な形状でない「切抜き」伸長３０ｍである。図中の伸長構成要素３２ａ−ｆの任意のものと共に、結合構成要素３０ａ−ｌの任意のものを使用できることに留意するべきである。
【００８５】
当業者は、本発明の範囲の中にある様々な方法で、本明細書に記載された例示の結合構成要素と伸長構成要素は結合できることを理解するであろう。特に、以下で説明する多目的補助メンバーのパーソナルカード取り出しツールの実施態様と、任意の伸長構成要素を使用できる。
【００８６】
パーソナルカード取り出しツール実施態様
本発明のある特定の態様では、多目的補助メンバー２０は、一般に２０ｈとして示されるパーソナルカード取り出しツールを提供する。本発明の例示のパーソナルカード取り出しツールは図１１Ａ−１１Ｃに示される。図１１Ａと１１Ｂに示されるように、ツール２０ｈは結合構成要素３０と伸長構成要素３２を含む。この実施態様による結合構成要素は、一般に平らで、堅くて、Ｕ形をしており、該結合構成要素は平面の上面把持アーム８４ａと、該上面把持アームにほぼ平行な下面把持アーム８４ｂを有し、それぞれのアームは共通のベース８６に連結され、それから末端方向に延び、該上面把持アームと下把持アームがパーソナルカード２２を受け付入れるために適合させられるカードスロット８８を画定し、該カードスロットは開いているフロントエンド８８ａおよびベース８６で終わる閉じられた端８８ｂを有する。本発明のこの実施態様による結合構成要素は、一般に、３０ｈとして示され、湾曲可能でない、破壊しにくく、または破壊抵抗力がある単一の、連続したユニットとして典型的に形成される。しかしながら、結合する（例えば、溶接または融着）ことのできる別々の部品でそのような結合構成要素を作ることができる。上面および下面把持アーム８４ａおよび８４ｂが互いに固定された所定の位置にあり、それによりパーソナルカード２２がカードスロット８８に挿入されるときに加えられる手動の力での強い摩擦によりフィットすることにより、パーソナルカードを受け入れ、保持できるカードスロット８８を画定する。
【００８７】
本発明のある特定の態様では、カードスロット８８は連続した先細の形などの先細の形を含んでいる。これは広い開口８８ａを有し、結合構成要素８６のベースでより細長い領域８８ｂで終わる。図１２Ａと１２Ｂで図説されるように、パーソナルカード２２は、使用する際にカードスロット８８の広い開口８８ａに挿入されて、より狭いベース領域８８ｂに向かって押される。図１２Ａの矢はパーソナルカード２２のカードスロット８８への装着の方向を示している。先細の形がパーソナルカード２２の名目上の厚さとほとんど等しいかまたは少ない場所で、カードスロット８８の中にパーソナルカード２２が置かれるとき、強い摩擦フィットを得る。パーソナルカード２２における強い摩擦フィットと共に、パーソナルカード２２に取り付けられつつ、カードキャリーケース２４にパーソナルカード２２を挿入するのにツール２０ｈを使用できる。同様に、パーソナルカード２２に付着するツール２０ｈは、パーソナルカードをカードキャリーケース２４のコンパートメント２６に保持しつつ、パーソナルカード２２をカードキャリーケース２４から取り出すために使用できる。さらに、ツール２０ｈはカードキャリーケース２４のコンパートメント２６に固定されているカードを把持し取り出すために使用することができる。従って、ツール２０ｈはパーソナルカード２２に居心地よく取り付けるために適合させられ、適度の力だけがカードをツールに挿入するか、またはツールからカードを取り外すのに必要であるようにされる。強い摩擦によるツール−カードアセンブリは、ツール２０ｈを使用して、表面またはハンドルを把持し、ツールからパーソナルカード２２をはずさずに、ツールを使用して、スロットまたはカードキャリーケース２４のコンパートメント２６から取り出すことができる。
【００８８】
本発明のある特定の実施態様では、カードスロット８８の内側表面は、輪郭を描かれる、および／または、製作の間に与えられたパターン、テクスチャまたは圧痕を含むことができる。例えば、スロット８８は歯、リッジ、バッフル、エッチングした表面または同様のものを含むことができる。そのような輪郭とテクスチャはカードスロット８８の中でパーソナルカード２２のフィットを改良するのに適当な非滑り面を提供できる。いくつかの実施態様では、ツールのある特定の輪郭は、造型の後に機械加工されるか、または成型されたツールボデイへのスプレーまたはコーティングなどにより適用される。例えば、カードスロット８８はシリコーンゴムまたはプラスチックなどの弾力があるかまたは耐スリップ性の素材で裏打ちされるか、またはコーティングされて、カードスロット８８の中のパーソナルカード２２のスリップを防ぐことができる。存在する場合には、任意の利用可能な方法、たとえばスプレーまたはペイントで、フィッティングポートに、ライニングまたはコーティングを適用することができる。あるいはまた、適当な素材のあらかじめ形成されたスリーブが、カードスロット８８の内側表面に挿入され、および／または、接着されることができる。
【００８９】
図１１Ａに関して、カードスロット８８は、前面開口部８８ａで約０．４０ｍｍから約１．００ｍｍの間隔を有し、カードスロットの後部８８ｂで約０．３０ｍｍから約０．９０ｍｍの間隔まで先細りになる。ある特定の実施態様では、カードスロット８８は、約０．３０ｍｍから約１．００ｍｍの間隔であり、約０．４５ｍｍから約０．７６ｍｍの厚みを有するカードに合うように適合される。他の実施態様では、カードスロット８８は、０．４０ｍｍから０．５５ｍｍの間隔であり、約０．４５ｍｍから約０．５０ｍｍの厚みを有するカードに合うように適合される。また他の実施態様では、カードスロット８８は、約０．５０ｍｍから約０．８０ｍｍの間隔であり、約０．５５ｍｍから約０．７５ｍｍの厚みを有するカードに合うように適合される。
【００９０】
他の実施態様では、図１４Ａ−１４Ｄに示されるように、連続的に先細りとなる代わりに段階的に細くされることができる。そのようなカードスロットは、特定の厚さのパーソナルカードを受け入れるために適合された２つ以上の不連続部位を含んでいる。図１４Ａ−１４Ｄの例示された実施態様では、ツール２０ｈのカードスロット８８は、カードスロットの前方開口部に隣接した広い末端領域８８ｃと、カードスロットの後部に隣接する近位領域８８ｄを含んでいる。広い末端領域８８ｃは厚いパーソナルカード２２ｂを受け入れることができる十分な間隔を有し、狭い近位領域８８ｄは、より薄いパーソナルカード２２ａのみを受け入れるに十分な間隔を有する。したがって、そのような実施態様によるツールは、異なった厚さのカードと共に使用できる。ある特定の態様では、カードスロット８８の広い末端領域８８ｃと狭い近位領域８８ｄの両方が、その内部に差し込まれた様々なパーソナルカードの厚さの名目上の変化を収容するように、前部から後部に先細りする。ある特定の態様では、広い末端領域は、約０．６ｍｍから約１．６０ｍｍの間隔であり、狭い近位領域は約０．３ｍｍから約１．００ｍｍの間隔である。
【００９１】
任意の長持ちする、堅い素材、たとえば金属、合金またはプラスチック（例えば、ＰＶＣ、ポリカーボネート、またはポリスチレン）から結合構成要素を作ることができる。特に、結合構成要素３０ｈは、パーソナルカード２２がカードスロット８８に挿入されるとき、上下のアーム（それぞれ８４ａと８４ｂ）は、互いに固定位置に留まるように構成される。金属が使用されるとき、使用の際に遭遇するかもしれない温度で湾曲または他の態様で変形の影響を受けやすい金属を避けるように注意しなければならない。
【００９２】
結合構成要素３０ｈは、成型、キャスティング、鍛造、ラミネート、カービング、機械加工、プレス、組み立ておよび同様のものを含む任意の適当なプロセスで作ることができる。１つの実施態様では、ツールはプラスチックの押出し成形で作られる。本発明のある特定の実施態様では、結合構成要素３０ｈはプラスチックの一体物として形成される。他の実施態様では、プラスチックの２個以上のピースが製造され、部品が組み立てられ（例えば、接着される）、結合構成要素を形成する。他の実施態様では、結合構成要素３０ｈは金属または合金の一体物として形成される。他の実施態様では、金属の２個以上のピースが製造されて、部品が組み立てられ（例えば、はんだ付けされるか、または溶接される）、結合構成要素を形成する。他の実施態様では、結合構成要素３０ｈの全体的な形状が製造され、そして、次に、カードスロット８８が例えば、カッティング、カービング、ドリリング、のこ挽きまたは同様の方法によって形成される。
【００９３】
本発明の１つの特定の態様では、結合構成要素は金属射出成形プロセスで作られている。「金属射出成形」または「ＭＩＭ」は、プラスチック射出成形の融通性と、機械加工、プレス、または別の方法で製造されている小さくて、複雑な金属部品の強度と一体性を結合させたものである。このプロセスによると、細かい金属粉がプラスチック・バインダと混合される。混合物は加熱され、流動可能な液体または懸濁液が形成される。これは標準のプラスチック射出成形型とマシンと同様の設備を使用することで型内に射出することができる。冷却の後に、部品は型からイジェクトされ、プラスチック・バインダは溶媒、および／または、熱で取り除かれる。次に、残っている金属部品は、結合するが金属を溶かさない温度で焼結し、鍛錬金属(wrought metal)と同様の最大９８％密度である生成物をもたらす。このプロセスを使用して、全体に薄い厚さを有し、例えば、テーパー状のカードスロット８８のような、上下に正確に配置された薄い、上側および下側の両方のアームが達成できる。
【００９４】
上で説明したように、結合構成要素の総合的な大きさおよび形状をかなり変えることができ、様々なサイズの丸い、楕円の、正方形の、長方形の、および自由に形成された形状であることができる。ある特定の実施態様では、結合構成要素は装飾的な形状、たとえば花形またはアルファベットの文字のような形状を有することができる。他の実施態様では、装飾的な形状は、描写的であるか、または特定のブランドを表すだろう。
【００９５】
ツール２０ｈの結合構成要素３０ｈは、典型的に約１０ｍｍから４０ｍｍの幅、１０ｍｍから４０ｍｍの長さ、および約２ｍｍから約１０ｍｍの最大の厚みを有する。結合構成要素のそれぞれのアームは、望ましくは、結合構成要素アームの堅さを維持しつつ、できるだけ薄くされる。当業者は、材料の名目上の厚さは、周囲温度における物品の柔軟性と剛性を一部決定することを十分理解するだろう。例えば、アルミホイルはフレキシブルであるが、アルミニウムの厚い部分はより堅いが、匹敵する厚さの鉄鋼と他の金属は、より堅い。一般に、結合構成要素アームの８４ａと８４ｂは、パーソナルカード２２のカードスロット８８への繰り返された装着に対して、湾曲も破壊もすることなく、お互いに対してその形状と位置を保持するだろう。それぞれのアームは、約０．１ｍｍから約１０ｍｍの範囲内の厚みを典型的に有し、しばしば約０．２５ｍｍから約５ｍｍの厚さであり、しばしば約０．５ｍｍから約２ｍｍの厚さである。アームの厚さは、使用される素材と製法に少なくとも部分的に依存することは、周知であるだろう。金属射出成形は、正確に薄く複雑な金属部品の製造を許容して、したがって、結合構成要素を作るための適切な方法である。
【００９６】
結合構成要素は、ツールの機能性が保存される限り、めっき、コーティング、ペイント、琺瑯、彫刻、宝石、および同様のものなどの追加材料とデザイン要素を含むことができる。本発明のいくつかの態様では、大きさおよび形状は、パーソナルカード２２が保持されるカードキャリーケース２４の幾何学的要件によって制限されるだろう。カードが財布または札入れのスロットまたは特別なコンパートメントに置かれる用途では、より薄い結合構成要素が望ましいかもしれない。本発明で想定された結合構成要素形状のさまざまな非限定的な実施例を含むツールが、図１７Ａ−１７Ｊに示される。
【００９７】
任意に、本発明のツール２０ｈの結合構成要素３０ｈは、最終用途のために適合された追加要素を含むことができる。例えば、図１６Ａ−１６Ｅに示された結合構成要素は、パーソナルカード２２が挿入されるカードキャリーケースの部分を受け取るために適合された追加アーム９０とスロットを含んでいる。そのような追加アームは、望まれない第３者によってカードが財布から取り出されたり、財布から偶然落ちるのを防ぐことにより、盗難防止および紛失防止機構として機能する。図１６Ｂに示されているように、アームは、例えば、パーソナルカードケース２４の革のスリーブの部分を受け取るために適合されたスロット９２を画定して、カードキャリーケース２４内のツールとパーソナルカード２２を固定するのを助けるリッジまたはバッフル９４を含むことができる。カードキャリーケースに含まれているパーソナルカード２２を挿入するとき、パーソナルカードを保持するカードキャリーケースのセクションの上をアーム９０がスライドする。適切に固定されていると、アーム９０の上のリッジ９４は、ツールとカードの求められていない置き換えを防ぐために革を鋏む。
【００９８】
ある特定の実施態様では、本発明のツール２０ｈの結合構成要素３０ｈは２つ以上のカードスロット８８を含むことができる。そのような実施態様によると、それぞれのカードスロット８８は、同時にただ一つのパーソナルカード２２を受けるように適合される。クレジットカードと身分証明書のように、同時に頻繁にカードキャリーケース２４から取り出されるパーソナルカード２２を保持するために２つ以上のカードスロットを使用できる。両方のカードを含むツール２０ｈがパーソナルカードケース２４から取り外されるとき、両方のカード２２はツールで同時に取り出される。２以上のカードスロット８８は、結合構成要素のベースの中の同じ位置でそれぞれ終了することができるか、またはそれらはずらして配置した末端であることができる。ベース位置がずらされる時、２枚以上のカードがカードスロット８８に固定されているとき、それぞれの２以上のパーソナルカード２２の領域は目に見えたままで残る。カードスロット８８が同じ位置で終わるとき、１枚のカードがもう片方のカードの後ろに隠されるだろう。
【００９９】
１つの態様では、２つ以上のカードスロット８８が上側のアーム８４ａと下側のアーム８４ｂによって画定される。他の実施態様では、１つのカードスロットの上側のアームが、隣接して同じ空間を占め、別のカードスロットの下側のアームとして機能する。他の実施態様では、カードスロットは、図１４Ｅと１４Ｆに示されているように、ふぞろいである。更なる実施態様では、カードスロットシェアにおける本発明のアームの剛性要求を満たさないが、単にそれぞれの上下のアームより柔軟で、および／または、より薄いことができるカードの間の単なるスペーサである、共通のセパレータを共有することができる。
【０１００】
本発明のカード取り出しツール２０ｈの伸長構成要素３２は、伸張した、把持可能な表面または特徴５０を提供するように適合され、これは把持および／または引っ張ることができ、カードキャリーケース２４からパーソナルカード２２の取り出しを容易にする。したがって、ある特定の実施態様では、伸長構成要素３２は、指で、より容易に配置され、鋏まれ、把持されるか、または引っ張ることができる「ハンドル」を提供する。
【０１０１】
金属、木、プラスチック、革、および同様のものを含むが、これらに限定されない様々な材料を使用した、様々な形状のものが伸長構成要素３２として使用できる。例示の伸長構成要素は図１７Ａ−Ｊに示される。ある特定の実施態様では、伸長構成要素は、図１７Ａ、１７Ｃ−１７Ｈに示されるように、直接、結合構成要素に融着されるか、または接着される。そのような伸長構成要素は、特に図１７Ｈの「Ｚ」形状ツールによって示されるような、結合構成要素の装飾的な形状と伸長構成要素が続いている、装飾的な形状を有するツールに適合している。他の実施態様では、図１７Ｂ、１７Ｉ、および１７Ｊに示されるように、伸長構成要素は、伸長構成要素が動くか、または折りたたまれて、結合構成要素から離れることを容認する蝶番またはフレキシブルなコネクタを含んでいる。異なった位置に伸長構成要素を操作する能力は、図１５Ｅに示されるように、カードキャリーケースからパーソナルカード２２を取り除くのに追加のてこの作用を提供できる。また更なる実施態様では、伸長構成要素は、結合構成要素の上に直接配置されるか、または一体とされた部分である。伸長構成要素は、例えば、図１３Ａ−Ｂおよび１７Ｅに示されるように、結合構成要素の上に配置されたリッジまたはタブであることができる。そのようなリッジは指先で、ツールを把持および引き出すことを許可する。ある特定の態様では、図１７Ａに示されるように、伸長構成要素は指または爪の挿入により、ツールをつかんで、カードキャリーケース２４からそれを取り出すように適合された、くぼみまたは「爪ピック(fingernail pick)」領域把持手段５０を含んでいる。他の実施態様では、伸長構成要素は、図１７Ｄ、１７Ｆおよび１７Ｇに示されるような、指を挿入することができるひも、鎖または他のループである、
【０１０２】
技術
また、本発明はパーソナルカード２２に関連する（例えば、加えられるか、または取り付けられる）技術を含むことができる。例えば、技術を備えた多目的補助メンバー２０を、パーソナルカード２２に関連づけることができる。これによりオリジナルのパーソナルカード２２に存在していない技術を加えることが可能になる。また、これにより、永久的または準永久的に少なくとも１つの多目的補助メンバー２０を取り付けることにより、オリジナルのパーソナルカード２２に保存される情報量を増大させることも可能になるだろう。
【０１０３】
上記の技術としては、集積回路（ＩＣ）デバイス、無線周波デバイス（例えば、無線周波インタフェース装置（ＲＦＩＤ））、または公知のもしくは今後発見される任意の電子技術デバイスで、プログラム可能な、および／または、記憶機能（例えば、メモリ）を有するものがあげられる。１つの実施態様では、技術は、ストライプの特異的パターンでそこに情報を「保存する」バーコードである。多目的補助メンバー２０に関連できる技術の１つの例は、プログラムされ、パーソナルカードの２２の機能を増強して、変えて、制限し、および／または、限定することができる技術デバイスである。例えば、技術を有する多目的補助メンバー２０の標準のポイントカードは、特別な、および／または、カスタマイズされたプロモーションを関連させることができる。多目的補助メンバー２０に関連できる技術の別の例は、パーソナルカード２２として（またはその代わりとして）機能するようにプログラムされる技術デバイスである。これによりユーザは、単一のカード２２に複数の多目的補助メンバーが２０を取り付けて、カードキャリーケース２４に保持されるパーソナルカード２２の数を減少させることができるだろう。それぞれの多目的補助メンバー２０はカードキャリーケース２４から取り出されたパーソナルカード２２の置換を表す。例えば、雇用者は異なった指定地域（例えば、ゾーン、ビル、部屋、またはファイリングキャビネット）に別々のアクセスカードを提供するのではなく、雇用者は１つのアクセスカードと、それぞれが読み込まれる（例えば、スワイプされるか、またはスキャンされる）３つの多重多目的補助メンバー２０を、指定地域へのアクセスに提供できる。
【０１０４】
多目的補助メンバー２０に関連できる技術のさらに別の例は、多目的補助メンバー２０をサポートするカード２２で作られた、取引に関する取引情報（例えば販売のポイントでされた購買）を集めるようにプログラムされる技術デバイスである。取引の情報を集中データベースに自動的にダウンロードするか、転送することができる。または彼の個人的な安全なデータベース（例えば、ホームコンピュータ上の）へユーザにより、取引の情報をダウンロードするか、転送することができる。取引の情報をコンパイルして、例えば、カードプロバイダーによって提供されたインボイスに対して、比較のために購買に関する情報を追跡して提供することができる。複数のカード２２のための取引の情報をコンパイルし、例えばユーザの消費性向のより完全な表示を提供する普遍的なトラッキングシステムを提供することができる。通常、支出が複数のカード２２にわたる場合、ユーザの消費性向は決定しにくい。この普遍的なトラッキングシステムを使用して、サービスプロバイダがただ一つのインボイスを調製して、ユーザにそれを提示するサービスを実行することができる。ユーザはサービスプロバイダのインボイスを支払い、次に、サービスプロバイダはカードプロバイダーに支払う。多目的補助メンバー２０に関連できる技術のさらなる別の例は、別々の、および／または、普遍的な賞システム(award system)として機能するようにプログラムされる技術デバイスである。別個の、および／または普遍的な賞システムは、異なるタイプのカード２２の使用を追跡するシステムで使用できる。ユーザは賞、慈善寄付金、および／または、いかなる他の有価報酬にも変換できるポイントなどの「報酬」を受けることができる。調査、カスタマイズされた広告および／または他の目的のために、使用法情報を使用できた。ユーザは、彼の使用法が追跡されるのを容認することにより報酬を得るだろう。多目的補助メンバー２０に関連できる技術のさらに別の例は、その存在を示すために、低水準信号（すなわち、送信機として機能する）を送るようにプログラムされる技術デバイスである。レシーバ技術要素はカードキャリーケース２４に関連付けできる。レシーバ技術要素は、低水準信号を受信する手段、受け取られるべきであるすべての低水準信号を受信するかどうかを決定する手段、低水準信号が受信されない場合にユーザに通知し、ユーザに多目的補助メンバー２０とその関連カードの不在を通知する手段である。レシーバ技術は、ユーザによりプログラムでき、ユーザに警告する手段（例えば、音声アラーム、視覚アラーム、または振動アラーム）を有することができる。レシーバ技術要素はカードキャリーケース２４に一体化できるか、またはその内部に保持（例えば、パーソナルカード２２の形で、または、多目的補助メンバー２０の形で）することができる。たとえばキャッシャーに忘れることによってカード２２をなくす傾向があるユーザのためには、この特徴は価値のある物であろう。
【０１０５】
多目的補助メンバー２０に関連できる技術のさらに別の例は、信号を受信できるようにプログラムできるデバイス（すなわち、受信機として機能する）であり、ユーザにその所在を警告する手段（例えば、音声アラーム、視覚アラーム、または振動アラーム）を提供することができる。レシーバ多目的補助メンバーによって受け取られることになっている信号を送るために、送信機技術要素（それはスタンドアロンデバイスまたは、別のデバイス（例えば、携帯電話）に関連しているかもしれない）を使用できる。送信機技術が活性化したとき、多目的補助メンバー２０に関連しているレシーバも活性化され、次いで、ユーザを警告する手段を活性化するだろう。また、この実施態様の技術の徹底的な履行は、多目的補助メンバー２０の位置を地図表示して提供する送信機技術要素のビューイングスクリーンを含むかもしれない。したがって、カード２２を（例えば、家、車などに）なくす傾向があるユーザのために、この特徴は価値のある物だろう。
【０１０６】
補助メンバーシステム
多目的補助メンバー２０が一緒に使用される場合の他の目的は、多目的補助メンバー２０は、カードキャリーケース２４からユーザがカード２２を移動または取り出す（例えば、それらをわずかに引き抜く）ことなく、あるカード２２と他のカードを区別することができるので、容易に複数のカードをまとめて組織化し、分類するシステムを提供することである。実施態様では、補助メンバーシステムは複数の多目的補助メンバー２０を含み、それぞれがカードキャリーケース２４（さらに、コンパートメント２６に分割できる）の中に保存されたパーソナルカードコレクションにおけるパーソナルカード２２に関連させた。本発明のある特定の態様では、パーソナルカード２２がコンパートメント２６の中に置かれるとき、多目的補助メンバー２０は物理的に露出される。ユーザはカードキャリーケース２４内の他の多くのカード２２を移行することなく、または取り出すことなく、取り付けられた多目的補助メンバー２０のユニークな特定に基づいて、特定のカード２２を同定できる。
【０１０７】
図１−３に示されるように、ユーザはカード２２上に多目的補助メンバー２０を付ける際に、カード２２がカードキャリーケース２４内に保持されているときに、多目的補助メンバー２０がずらして配置されるようにできる。たとえば、図１では、前面の最初のカード２２は、カード２２の左端に実質的に配置された多目的補助メンバー２０を有し、第２のカード２２では、第１のカードの多目的補助メンバー２０によって妨げられないよう十分に右に多目的補助メンバー２０を置いて、第３のカード２２では、第２のカードの多目的補助メンバー２０によって妨げられないよう十分に右に多目的補助メンバー２０を置き、以下同様とされる。ユーザ１５がカード２２の配置、および／または、順番を変える場合には、本発明の多目的補助メンバー２０のいくつかの実施態様では、それらは脱着可能であり、および／または、再配置可能である。
【０１０８】
それのいくつかは本明細書で説明される典型的な索引システムに比較して、本発明の補助メンバーシステムはいくつかのユニークな特徴があることに留意するべきである。まず最初に、カード２２は互いに物理的に付着せず、または別のパーソナルカードと共有のデバイス（例えば、ノートのバインディングのようなホルダー、またはローロデックス（登録商標）の回転式ホルダ）に接触しない。物理的な接触の欠如は、「隔離された」または「スタンドアロンである」と記述できる。ほとんどの索引システム（例えば、インデックスタブを有するノートシステムまたはローロデックス（登録商標）タイプのシステム）では、ページまたはカードがホルダに接触する。第２に、ほとんどの索引システムは比較的個人的（すなわち、一人しか見ることができないか、または選ばれたグループの人が見れるだけである）であるのに対し、本発明は多くの人に連続的に表示され、および／または取り扱われることができる。この特徴のためには、ユニークな、および／または、装飾的な多目的補助メンバー２０が特に有利になる。また、装飾的な態様は、カード２２が離れた場所（例えば、勘定するために使用する一群のカードから、またはガソリン・スタンドの従業員が給油の際にカードをスワイプする時）から容易に同定することを容認する。
【０１０９】
３番目に、先に述べたように、補助メンバーシステムに技術を追加できる点に効果がある。
【０１１０】
好適な実施例の目的と効果
本発明の１つの実施態様では、多目的補助メンバーの第１の目的は、カードを動かしたり（たとえば引っ張って若干出したり）、またはキャリーケースまたはそれらのコンパートメント２６からそれらを取り出すことなく、別のパーソナルカード２２から１つのパーソナルカード２２を識別するまたは同定するための手段を提供することである。
【０１１１】
本発明の１つの実施態様では、多目的補助メンバーの２番目の目的は、カードキャリーケース２４のコンパートメントから、パーソナルカード２２を容易に取り出す手段を提供することである。ユーザの指で把握可能である表面（例えば、伸長構成要素３２自体）を提供することによって、これを達成できる。
【０１１２】
本発明の１つの実施態様では、多目的補助メンバーの３番目の目的は、パーソナルカード２２の表面（表面および／または端）での指および／または爪のスリップ防止手段を提供することである。これは例えば、永久的または準永久的に伸長構成要素３２に付着された追加の把持部材により達成される。該把持部材はリッジ、および／または、向上したトラクションを提供する。
【０１１３】
本発明の１つの実施態様では、多目的補助メンバーの４番目の目的は、パーソナルカード２２に付加的レベルの広告を加える手段を提供することである。これはユーザのカードキャリーケース２４におけるある特定のパーソナルカード２０を区別したい会社に有利であるだろう。
【０１１４】
本発明の１つの実施態様では、多目的補助メンバーの５番目の目的は、パーソナルカード２２に技術を加える手段を提供することである。
【０１１５】
本発明の１つの実施態様では、多目的補助メンバーの６番目の目的は、ユーザにより持ち運ばれるカード数を減少させる手段を提供することである。単一のカード２２に複数の多目的補助メンバー２０を取り付けることによって、これができる。例えば、医療、歯科、および処方箋のために保険会社は別々のカードを提供するが、保険会社は３つの多目的補助メンバー２０（医療、歯科、および処方箋のためのそれぞれのもの）と１つのカードを提供できる。
【０１１６】
カードの数を減らすことは、カードキャリーケース厚さの制約条件（例えば男性のカードキャリーケースにおいて、ヒップポケットで保持されるため、カードキャリーケースの厚さが重要である場合）と、カードが保存されるパウチ、ポケット、および／またはスロットの限定された数について助けとなる。
【０１１７】
本発明の１つの実施態様では、補助メンバーシステムの７番目の目的は、カードキャリーケース２４内の複数のカード２２を容易に組織化して分類する手段を提供することである。
【０１１８】
本発明の多目的補助メンバー２０および／または補助メンバー２０のシステムを使用して、これらの目的の組み合わせが達成できることが留意されるべきである。
【０１１９】
その他
本発明は、財布内に保持されるパーソナルカードまたは他の商品（例えば、フォッブカードとキー）と共に使用できることに留意するべきである。用語は技術の理解を助けることが意図され、本発明の範囲を制限するものではないことに留意するべきである。
【０１２０】
明細書で使用される用語および表現は、説明のために使用され、本発明を制限するものではなく、説明した特徴の同等物またはそれらの一部を除くことを意図しない。本発明の範囲は、以下の請求項によってのみ画定され制限される。
【図１】
0005901532.tif 000002
【図２】
0005901532.tif 000003
【図３】
0005901532.tif 000004
【図４】
0005901532.tif 000005
【図５Ａ】
0005901532.tif 000006
【図５Ｂ】
0005901532.tif 000007
【図５Ｃ】
0005901532.tif 000008
【図６Ａ】
0005901532.tif 000009
【図６Ｂ】
0005901532.tif 000010
【図６Ｃ】
0005901532.tif 000011
【図７Ａ】
0005901532.tif 000012
【図７Ｂ】
0005901532.tif 000013
【図８】
0005901532.tif 000014
【図９Ａ】
0005901532.tif 000015
【図９Ｂ】
0005901532.tif 000016
【図９Ｃ】
0005901532.tif 000017
【図１０Ａ】
0005901532.tif 000018
【図１０Ｂ】
0005901532.tif 000019
【図１１Ａ】
0005901532.tif 000020
【図１１Ｂ】
0005901532.tif 000021
【図１１Ｃ】
0005901532.tif 000022
【図１２Ａ】
0005901532.tif 000023
【図１２Ｂ】
0005901532.tif 000024
【図１２Ｃ】
0005901532.tif 000025
【図１３Ａ】
0005901532.tif 000026
【図１３Ｂ】
0005901532.tif 000027
【図１４Ａ】
0005901532.tif 000028
【図１４Ｂ】
0005901532.tif 000029
【図１４Ｃ】
0005901532.tif 000030
【図１４Ｄ】
0005901532.tif 000031
【図１４Ｅ】
0005901532.tif 000032
【図１４Ｆ】
0005901532.tif 000033
【図１５Ａ−１５Ｆ】
0005901532.tif 000034
【図１６Ａ】
0005901532.tif 000035
【図１６Ｂ】
0005901532.tif 000036
【図１６Ｃ】
0005901532.tif 000037
【図１６Ｄ】
0005901532.tif 000038
【図１６Ｅ】
0005901532.tif 000039
【図１７】
0005901532.tif 000040